(57)【要約】【課題】筐体内の配線を簡素化できるファン故障検知装置を提供する。【解決手段】ファン１１の電源ライン１ａの中途部に、電源ライン１ａに流れる電流を非接触で検出するセンサ１３を設けた。【選択図】図１
0003114660.tif 000002
【実用新案登録請求の範囲】
【請求項１】
ファンにファン駆動電源を供給する電源ラインと、
前記電源ラインに流れる電流を前記電源ラインに非接触で検出するセンサと、
前記センサの出力状態を監視し、前記ファンの異常を検出する制御部と
を具備したことを特徴とするファン故障検知装置。
【請求項２】
複数のファンそれぞれに個別にファン駆動電源を供給する複数の電源ラインと、
前記複数の電源ライン各々に対応して設けられ、対応する電源ラインに流れる電流を前記電源ラインに非接触で検出する複数のセンサと、
前記各センサの出力状態を監視し、前記ファンの異常を個別に検出する制御部と
を具備したことを特徴とするファン故障検知装置。
【請求項３】
複数のファンにファン駆動電源を供給する、前記各ファンに共通の電源ラインと、
前記電源ラインに流れる電流を前記電源ラインに非接触で検出するセンサと、
前記センサの出力状態を監視し、前記ファンの異常を検出する制御部と
を具備したことを特徴とするファン故障検知装置。
【請求項４】
前記センサは、前記制御部に近づくように前記電源ラインの中途部に設けられる請求項１または２又は３記載のファン故障検知装置。
【請求項５】
前記センサは、前記制御部を構成するボードに設けられる請求項１または２又は３記載のファン故障検知装置。
【考案の詳細な説明】
【技術分野】
【０００１】
本考案は、冷却用のファンを備えた電子機器に用いて好適なファン故障検知装置に関する。
【背景技術】
【０００２】
従来、ＣＰＵ等の発熱素子を実装したボードを内蔵する電子機器に於いては、機器の筐体内を冷却用のファンを用いて冷却することで機器を安定した状態で動作させる構成としたものが種々開発され使用されている。
【０００３】
この種の電子機器に於いては、上記冷却用ファンに異常が発生し、これに伴い筐体内の温度が過渡に上昇して、機器動作が異常状態に陥らないように、上記冷却用ファンが正常に動作しているか否かを監視する必要がある。
【０００４】
そこで、従来では、ファンに、異常を検出する機能回路を組み込んでおき、この回路の異常検知信号を制御部に送出してファンの異常に伴う機器制御を行っていた。このため、従来では、ファンに駆動電源を供給する電源ラインの配線に加えて、上記異常を検出する機能回路の配線が必要となり、筐体内の配線の煩雑化を招いていた。特に筐体に複数のファンを設けた構成では、ファンの増加に伴って、筐体内を引き回す配線が増加し、作業工数の増大並びに生産性の低下等を招くとともに、配線数の増大に伴って回路上に於ける電気ノイズ、信号干渉等の不具合が発生する頻度も高くなるという種々の問題があった。
【特許文献１】特開２００２−００６９９１号公報
【考案の開示】
【考案が解決しようとする課題】
【０００５】
上述したように、従来では、ファン毎に、ファンの異常を検出する機能回路を組み込んだ構成であることから、ファンに駆動電源を供給する電源ラインの配線に加えて、上記異常を検出する機能回路の配線が必要となり、これに伴い、筐体内を引き回す配線が煩雑化して、作業工数の増大、生産性の低下等を招くとともに、配線数の増大に伴って回路上に於ける電気ノイズ、信号干渉等の不具合が発生する頻度も高くなる等、種々の問題があった。
【０００６】
本考案は上記実情に鑑みなされたもので、筐体内の配線を簡素化できるファン故障検知装置を提供することを目的とする。
【課題を解決するための手段】
【０００７】
本考案は、ファンにファン駆動電源を供給する電源ラインと、前記電源ラインに流れる電流を前記電源ラインに非接触で検出するセンサと、前記センサの出力状態を監視し、前記ファンの異常を検出する制御部とを具備したファン故障検知装置を特徴とする。
【０００８】
また、本考案は、複数のファンそれぞれに個別にファン駆動電源を供給する複数の電源ラインと、前記複数の電源ライン各々に対応して設けられ、対応する電源ラインに流れる電流を前記電源ラインに非接触で検出する複数のセンサと、前記各センサの出力状態を監視し、前記ファンの異常を個別に検出する制御部とを具備したファン故障検知装置を特徴とする。
【０００９】
また、本考案は、複数のファンにファン駆動電源を供給する、前記各ファンに共通の電源ラインと、前記電源ラインに流れる電流を前記電源ラインに非接触で検出するセンサと、前記センサの出力状態を監視し、前記ファンの異常を検出する制御部とを具備したファン故障検知装置を特徴とする。
【００１０】
さらに前記各ファン故障検知装置に於いて、前記センサを前記制御部を構成するボードに設けることを特徴とする。
【考案の効果】
【００１１】
冷却用のファンを備えた電子機器に於いて、筐体内の配線を簡素化できる。
【考案を実施するための最良の形態】
【００１２】
以下図面を参照して本考案の実施形態を説明する。
【００１３】
先ず、図１を参照して本考案の第１実施形態を説明する。
【００１４】
図１は本考案の第１実施形態に係るファン故障検知装置を備えた電子機器の構成を示したもので、ここではＣＰＵを実装した情報処理機器を例に示している。図中、１０は電子機器の筐体、１１は冷却用のファン、１２は電源部（ＰＳ）、１３はセンサ（Ｓ）、１４は回路基板（ＣＰＵボード）、１５はＣＰＵである。
【００１５】
冷却用のファン１１は、電源ライン１ａを介して供給されるファンモータ駆動電源（ＰＤ）により駆動されて、筐体１０内の熱源から発生した熱を筐体１０の外部に排出する。
【００１６】
電源部（ＰＳ）１２は、筐体１０内の各構成要素に動作用電源を供給する。ここでは図示しない電源ラインを介して回路基板１４に動作用電源を供給するとともに、電源ライン１ａを介して冷却用のファン１１にファンモータ駆動電源（ＰＤ）を供給する。
【００１７】
センサ（Ｓ）１３は、上記冷却用のファン１１と上記電源部（ＰＳ）１２との間に布線された上記電源ライン１ａの中途部に設けられ、上記電源ライン１ａに非接触で、電源ライン１ａに流れる電流を検出する。ここでは、電源ライン１ａの回路基板１４に最も近接する部分に電流検出用の信号線を巻き付けることで上記電源ライン１ａの中途部にセンサ１３を設けている。このセンサ１３の検出信号（ｓｓ）は検出信号線１ｂを介して回路基板１４に供給される。
【００１８】
回路基板１４は、ＣＰＵ１５と、このＣＰＵ１５のファミリーチップを実装したＣＰＵボードであり、ここでは上記信号線１ｂを介して入力されたセンサ１３の検出信号（ｓｓ）をアナログ−デジタル変換してＣＰＵ１５のバス上に出力する信号処理回路が含まれる。
【００１９】
ＣＰＵ１５は、機器全体の制御を司るプログラム処理を実行するもので、回路基板１４に実装され、同じく回路基板１４に実装されたＣＰＵファミリーチップに含まれる主記憶およびＢＩＯＳ−ＲＯＭに格納されたプログラムに従う処理を実行する。ここでは、上記ファン１１の異常を検出する制御部を実現している。上記ＣＰＵ１５は、上記回路基板１４上でアナログ−デジタル変換した上記センサ１３の検出信号（ｓｓ）を監視用データとして一定の周期毎に読み込み、このデータが示す値から冷却用のファン１１の動作状態（正常／異常）を判断する処理手段を有する。さらに異常を検出した際に、その状態を外部に報知する処理手段を有する。
【００２０】
上記した電子機器の動作は、機器の電源が投入（Ｐｏｗｅｒ  ＯＮ）されると、電源部（ＰＳ）１２から電源ライン１ａ上にファンモータ駆動電源（ＰＤ）が供給され、ファン１１が駆動される。このファン１１の駆動は、ＣＰＵ１５の制御の下に行われる場合を含んでいる。
【００２１】
上記電源ライン１ａ上に流れる電流はセンサ１３により検出される。センサ１３により検出された検出信号（ｓｓ）は信号線１ｂを介して回路基板１４に供給され、回路基板１４上でアナログ−デジタル変換された後、監視用データとしてＣＰＵ１５のバス上に出力される。
【００２２】
ＣＰＵ１５は、上記監視用データを一定の周期毎に読み込み、このデータが示す値（電流値）から冷却用のファン１１の動作状態（正常／異常）を判断する。ここで上記データが示す電流値が設定値を超えたとき、若しくは電流値が零であるとき、ファン１１が異常であると判定し、そのファン異常状態を、例えば外部に報知して、システムを正常終了させる等のファン異常検出処理を実行する。
【００２３】
上記したファン１１の異常検出手段に於いては、ファン１１に、異常を検出する機能回路を組み込むことなく、またファン１１から回路基板１４に制御信号線を引き回すことなく、筐体１０内の配線を簡素にして、ファン１１の異常を確実に検出することができる。
【００２４】
次に、図２を参照して本考案の第２実施形態を説明する。
【００２５】
図２は本考案の第２実施形態に係るファン故障検知装置を備えた電子機器の構成を示したもので、図中、２０は電子機器の筐体、２１は冷却用のファン、２２は電源部（ＰＳ）、２３はセンサ、２４は回路基板（ＣＰＵボード）、２５はＣＰＵである。なお、上記筐体２０内の各構成要素（２１〜２５）は、上記した第１実施形態に於ける構成要素（１１〜１５）と同様であることから、ここでは構成要素個々の説明を省略する。
【００２６】
この図２に示す第２実施形態が上記した図１に示す第１実施形態と特に異なるところは、センサ２３が回路基板２４上に設けられている点である。
【００２７】
このような構成とすることで、上記図１に示した第１実施形態に於ける、センサ１３の検出信号（ｓｓ）を回路基板に導く検出信号線１ｂが、少なくとも回路基板２４内を除いて不要であり、筐体２０内の配線量を上記第１実施形態に比して、より削減でき、筐体２０内の配線を簡素化できる。また、センサ２３を回路基板２４上に設けた構成とすることで、実装部品点数の削減並びに部品配置の簡素化が図れ、組み込み並びにメンテナンスの容易化が図れる。
【００２８】
次に、図３を参照して本考案の第３実施形態を説明する。
【００２９】
図３は本考案の第３実施形態に係るファン故障検知装置を備えた電子機器の構成を示したもので、図中、３０は電子機器の筐体、３１ａ，３１ｂは冷却用のファン、３２は電源部（ＰＳ）、３３ａ，３３ｂはセンサ、３４は回路基板（ＣＰＵボード）、３５はＣＰＵである。なお、上記筐体３０内の各構成要素（３１ａ，３１ｂ〜３５）は、上記した第１実施形態に於ける構成要素（１１〜１５）と同様であることから、ここでは構成要素個々の説明を省略する。
【００３０】
この図３に示す第３実施形態が上記した図１に示す第１実施形態と特に異なるところは、筐体３０に、複数（ここでは２つ）の冷却用のファン３１ａ，３１ｂを設け、この複数のファン３１ａ，３１ｂの各電源ライン３１ａ，３１ａに個別にセンサ３３ａ，３３ｂを設けた点、およびこの各センサ３３ａ，３３ｂを回路基板３４上に設けて、複数のファン３１ａ，３１ｂの動作状態（異常／正常）を個別に監視している点である。
【００３１】
このような構成とすることで、筐体３０に複数のファン３１ａ，３１ｂを設けた構成に於いて、複数のファン３１ａ，３１ｂのそれぞれから回路基板３４に制御信号線を引き回すことなく、筐体３０内の配線を簡素にして、ファン３１ａ，３１ｂの異常を確実に検出することができる。さらに上記各センサ３３ａ，３３ｂを回路基板３４上に設けることによって、筐体３０内の配線量をより削減して筐体３０内の配線をより簡素化できる。また、複数のファン３１ａ，３１ｂに対して個別にセンサ３３ａ，３３ｂで検出信号（ｓｓ）を得ることで、複数のファン３１ａ，３１ｂの各動作状態（異常／正常）を個別に監視することができる。
【００３２】
次に、図４を参照して本考案の第４実施形態を説明する。
【００３３】
図４３は本考案の第４実施形態に係るファン故障検知装置を備えた電子機器の構成を示したもので、図中、４０は電子機器の筐体、４１ａ，４１ｂは冷却用のファン、４２は電源部（ＰＳ）、４３はセンサ、４４は回路基板（ＣＰＵボード）、４５はＣＰＵである。なお、上記筐体４０内の各構成要素（４１ａ，４１ｂ〜４５）は、上記した第１実施形態に於ける構成要素（１１〜１５）と同様であることから、ここでは構成要素個々の説明を省略する。
【００３４】
この図４に示す第４実施形態が上記した図３に示す第３実施形態と特に異なるところは、上記した第３実施形態が複数のファン３１ａ，３１ｂの各電源ライン３１ａ，３１ａに個別にセンサ３３ａ，３３ｂを設けて、複数のファン３１ａ，３１ｂの各動作状態を個別に監視する構成であるのに対して、この第４実施形態では、複数のファン４１ａ，４１ｂの動作状態（異常／正常）を、回路基板（ＣＰＵボード）４５上に設けた１つのセンサ４３で検出している点である。
【００３５】
このような構成とすることで、筐体４０に複数のファン４１ａ，４１ｂを設けた構成に於いて、筐体４０に複数のファン４１ａ，４１ｂを設けた構成に於いて、複数のファン４１ａ，４１ｂのそれぞれから回路基板４４に制御信号線を引き回すことなく、筐体４０内の配線を簡素にして、かつ１つのセンサ４３で複数のファン４１ａ，４１ｂの異常を確実に検出することができる。なお、この第４実施形態では、複数のファン４１ａ，４１ｂの異常を個別に検出することはできないが、筐体４０設けられているファンに異常が生じた異常状態を確実に検出することができる。
【図面の簡単な説明】
【００３６】
【図１】本考案の第１実施形態に係るファン故障検知装置の構成を示すブロック図。
【図２】本考案の第２実施形態に係るファン故障検知装置の構成を示すブロック図。
【図３】本考案の第３実施形態に係るファン故障検知装置の構成を示すブロック図。
【図４】本考案の第４実施形態に係るファン故障検知装置の構成を示すブロック図。
【符号の説明】
【００３７】
１ａ，２ａ，３ａ，４ａ…電源ライン、１ｂ…検出信号線、１０，２０，３０，４０…筐体、１１，２１，３１ａ，３１ｂ，４１ａ，４１ｂ…ファン、１２…電源部（ＰＳ）、１３，２３，３３，４３…センサ（Ｓ）、１４，２４，３４，４４…回路基板（ＣＰＵボード）、１５，２５，３５，４５…ＣＰＵ、ＰＤ…ファンモータ駆動電源、ｓｓ…検出信号。
【図１】
0003114660.tif 000003
【図２】
0003114660.tif 000004
【図３】
0003114660.tif 000005
【図４】
0003114660.tif 000006